(57)【要約】      （修正有）【課題】構造が簡単で取り扱い性に勝れると共に、ふとん篭の座屈防止のため該ふとん篭の側網上端の枠線をフック部に手作業で係止させたり離脱させたりする必要のない、ふとん篭用防護装置を提供する。【解決手段】上面が開放する矩形の箱形に形成されて内部にふとん篭４０が収容される篭収容枠１と、該篭収容枠に開閉自在に連結された矩形の蓋枠２とを有し、前記篭収容枠の側壁７ａ，７ｂの上端部には、前記ふとん篭の側網の上端部の枠線４６を支えて該側網の座屈を防止する枠線キーパー１０が設けられ、該枠線キーパーは、前記枠線を支える支持位置と、該枠線から離れる待避位置とに変位自在であって、前記蓋枠が開放位置にあるときは前記待避位置を占め、前記蓋枠が閉鎖位置に移動すると該蓋枠の作用で前記支持位置に変位する。【選択図】図１２
2016079732.tif 000002
【特許請求の範囲】
【請求項１】
底網と前後及び左右の側網とを有する角形のふとん篭の内部に石材を充填するとき、該ふとん篭を収容して変形を防止するふとん篭用防護装置であって、
該防護装置は、前記ふとん篭を収容するための篭収容枠と、該篭収容枠に開閉自在に連結された蓋枠とを有し、
前記篭収容枠は、底壁と前後及び左右の側壁とによって上面が開放する矩形の箱形に形成され、各々の側壁の上端部に、前記ふとん篭の各々の側網の上端部に取り付けられた枠線を支えて該側網の座屈を防止する枠線キーパーを有し、
前記蓋枠は、前後及び左右の枠壁によって矩形に形成され、石材を投入するための開口を有し、前記篭収容枠の側壁の上端部を覆う閉鎖位置と、該側壁の上端部から離れる開放位置とに変位可能であり、
前記枠線キーパーは、前記枠線を支える支持位置と、該枠線から離れる待避位置とに変位自在であって、前記蓋枠が前記開放位置にあるときは前記待避位置を占め、前記蓋枠が前記閉鎖位置に移動すると該蓋枠の作用で前記支持位置に変位する、
ことを特徴とするふとん篭用防護装置。
【請求項２】
前記枠線キーパーは、前記枠線を支える支持部と、前記蓋枠に押される梃子部とを有していて、該支持部と梃子部との間の位置でキーパー支持軸により揺動自在に支持され、前記蓋枠が開放位置にあって該蓋枠で前記梃子部が押されていないときは前記待避位置を占め、前記蓋枠が閉鎖位置に移動して前記梃子部が該蓋枠に押されると前記支持位置に変位することを特徴とする請求項１に記載の防護装置。
【請求項３】
前記枠線キーパーは、前記キーパー支持軸で上下方向に揺動自在に支持され、該キーパー支持軸による支持位置より前記支持部側に寄った位置に重心を有し、前記梃子部が前記蓋枠に押されていないとき、前記重心による重みで前記支持部が下降することにより前記待避位置に変位することを特徴とする請求項２に記載の防護装置。
【請求項４】
前記篭収容枠の各々の側壁の上端部にそれぞれ複数のキーパー取付台が配設され、各キーパー取付台に前記枠線キーパーが、前記キーパー支持軸により揺動自在に支持され、各側壁の上端部の複数のキーパー取付台は、前記枠線キーパーをふとん篭に近接させる使用位置と、前記枠線キーパーをふとん篭から遠ざける非使用位置とに変位可能であることを特徴とする請求項２又は３に記載の防護装置。
【請求項５】
前記篭収容枠の各々の側壁の上端部に、前記ふとん篭を該篭収容枠内に収容したとき前記枠線が該篭収容枠の内側に向けて撓むのを防止する枠線フックが設けられ、該枠線フックは、前記枠線に係止する係止位置と、該枠線を解放する解放位置とに変位自在であることを特徴とする請求項１から４の何れかに記載の防護装置。
【請求項６】
前記蓋枠は、前記閉鎖位置にあるとき、前記ふとん篭の側網と前記枠線キーパーとを覆うことを特徴とする請求項１から５の何れかに記載の防護装置。
【発明の詳細な説明】
【技術分野】
【０００１】
本発明は、角形のふとん篭の内部に石材を充填するとき、該ふとん篭を収容してその変形を防止するふとん篭用防護装置に関するものである。
【背景技術】
【０００２】
護岸工事や道路工事等の各種工事に使用されるふとん篭（角形蛇篭）は、菱形金網によって四角い箱形に形成され、その内部に栗石や砕石等の石材を充填した状態で現場に設置される。近年では、工事の迅速化を図るため、特許文献１に開示されているように、ふとん篭の内部に前記石材を充填する作業を設置現場とは別の場所で行い、石詰めされたふとん篭を設置現場に運搬して設置するようにしている。
【０００３】
このとき、前記ふとん篭に対する石材の充填作業は、パワーショベル等の重機を使用して行われるが、その際ふとん篭には非常に大きな衝撃力が作用するため、該ふとん篭の変形を防止して充填作業を安定的に行うことができるように、該ふとん篭を収容してその変形を防止するための防護装置（型枠手段）が使用されている。
【０００４】
前記特許文献１に開示された型枠手段は、ふとん篭を収容する部分である固定部と、該固定部に開閉自在に連結された開閉部とを有している。前記固定部は、上面と前側面とが開放する箱形をしており、前記開閉部は、石材を投入するための開口を有する矩形枠状の上蓋と、前記固定部の開放する前側面を塞ぐための側壁とを有している。
【０００５】
前記型枠手段を用いてふとん篭に石材を充填するときは、前記開閉部を開放位置に移動させた状態で前記固定部の中に前記ふとん篭を収容して、前記開閉部を閉じ、前記上蓋の開口を通じて前記ふとん篭の内部に石材を投入する。石材の充填が完了すると、前記開閉部を開放して、前記ふとん篭をリフタ手段で吊り上げることにより前記固定部から取り出し、所定の場所に移送する。
【０００６】
前記固定部と開閉部とは、石材を投入する際の衝撃に耐え得るように、強度の大きい鉄鋼材料で形成されているため、重量が非常に重い。このうち開閉部は、開閉操作する部分であるため、できるだけ軽量であることが望ましいが、前記固定部の前側面を塞ぐための側壁が一体に連結されているため重量が重く、開閉時の操作性に難点があった。しかも、上蓋と前記側壁とが一体に形成されているため、構造が複雑で製造も面倒であった。
【０００７】
また、前記ふとん篭は、菱形金網で形成されているため柔軟性があり、前記型枠手段の固定部の内部に収容したとき、前後及び左右の側網が座屈し易い。即ち、菱形金網を形成する列線の連結状態が緩んで側網の高さが縮小された状態になり易い。このようにふとん篭の側網が座屈すると、石材の充填に支障を来すことになるため、前記型枠手段には、前記側網の上端部の枠線に係止して該側網が座屈するのを防止するフック部が設けられている。
【０００８】
ところが、前記フック部は、前記開閉部の上蓋の開口の周囲に設けられているため、該上蓋を閉じて石材を充填する際には、ふとん篭の枠線を手作業で各フック部に係止させ、石材を充填したあと前記上蓋を開放する際には、前記枠線を手作業で各フック部から外さなければならない。このため作業性が悪く、改善の余地があった。
【先行技術文献】
【特許文献】
【０００９】
【特許文献１】特開２００２−９７６１６号公報
【発明の概要】
【発明が解決しようとする課題】
【００１０】
本発明の技術的課題は、従来の型枠手段に比べて構造が簡単で取り扱い性に勝れると共に、ふとん篭の座屈防止のため該ふとん篭の側網上端の枠線をフック部に手作業で係止させたり離脱させたりする必要のない、機能的且つ合理的な設計構造を備えたふとん篭用防護装置を提供することにある。
【課題を解決するための手段】
【００１１】
前記課題を解決するため、本発明によれば、底網と前後及び左右の側網とを有する角形のふとん篭の内部に石材を充填するとき、該ふとん篭を収容して変形を防止するためのふとん篭用防護装置が提供される。
前記防護装置は、前記ふとん篭を収容するための篭収容枠と、該篭収容枠に開閉自在に連結された蓋枠とを有し、前記篭収容枠は、底壁と前後及び左右の側壁とによって上面が開放する矩形の箱形に形成され、各々の側壁の上端部に、前記ふとん篭の各々の側網の上端部に取り付けられた枠線を支えて該側網の座屈を防止する枠線キーパーを有し、前記蓋枠は、前後及び左右の枠壁によって矩形に形成され、石材を投入するための開口を有し、前記篭収容枠の側壁の上端部を覆う閉鎖位置と、該側壁の上端部から離れる開放位置とに変位可能であり、前記枠線キーパーは、前記枠線を支える支持位置と、該枠線から離れる待避位置とに変位自在であって、前記蓋枠が前記開放位置にあるときは前記待避位置を占め、前記蓋枠が前記閉鎖位置に移動すると該蓋枠の作用で前記支持位置に変位するように構成される。
【００１２】
本発明において、前記枠線キーパーは、前記枠線を支える支持部と、前記蓋枠に押される梃子部とを有していて、該支持部と梃子部との間の位置でキーパー支持軸により揺動自在に支持され、前記蓋枠が開放位置にあって該蓋枠で前記梃子部が押されていないときは前記待避位置を占め、前記蓋枠が閉鎖位置に移動して前記梃子部が該蓋枠に押されると前記支持位置に変位するように構成されていることが望ましい。
その際、前記枠線キーパーは、前記キーパー支持軸で上下方向に揺動自在に支持され、該キーパー支持軸による支持位置より前記支持部側に寄った位置に重心を有し、前記梃子部が前記蓋枠に押されていないとき、前記重心による重みで前記支持部が下降することにより前記待避位置に変位するように構成することができる。
【００１３】
本発明において好ましくは、前記篭収容枠の各々の側壁の上端部にそれぞれ複数のキーパー取付台が配設され、各キーパー取付台に前記枠線キーパーが、前記キーパー支持軸により揺動自在に支持され、各側壁の上端部の複数のキーパー取付台は、前記枠線キーパーをふとん篭に近接させる使用位置と、前記枠線キーパーをふとん篭から遠ざける非使用位置とに変位可能であることである。
【００１４】
また、本発明においては、前記篭収容枠の各々の側壁の上端部に、前記ふとん篭を該篭収容枠内に収容したとき前記枠線が該篭収容枠の内側に向けて撓むのを防止する枠線フックが設けられ、該枠線フックは、前記枠線に係止する係止位置と、該枠線を解放する解放位置とに変位自在であるように構成されていても良い。
更に、本発明において、前記蓋枠は、前記閉鎖位置にあるとき、前記ふとん篭の側網と前記枠線キーパーとを覆うように構成されていることが望ましい。
【発明の効果】
【００１５】
本発明によれば、従来の型枠手段に比べて蓋枠が軽量化されたため、該蓋枠を開閉する際の操作性に勝れる。また、ふとん篭の側網の上端部の枠線を支えて該側網の座屈を防止する枠線キーパーを、篭収容枠の側壁の上端部に設け、該枠線キーパーが、前記蓋枠の開閉操作に連動して、前記枠線を支える支持位置と該枠線から離れる待避位置とに変位するようにしたので、該枠線キーパーに対して前記枠線を支持させたり離脱させたりする作業を手作業で行う必要がない。
【図面の簡単な説明】
【００１６】
【図１】本発明に係るふとん篭用防護装置の一実施形態を、蓋枠を開放した状態で示す側面図である。
【図２】図１の防護装置の蓋枠を閉鎖した状態の側面図である。
【図３】図１の断面図である。
【図４】蓋枠を全開にした状態での防護装置の平面図である。
【図５】図４におけるＶ部の拡大図である。
【図６】図５の側面図である。
【図７】図６の右側面図である。
【図８】図４におけるＶＩＩＩ部の拡大図である。
【図９】図８の側面図である。
【図１０】図９の右側面図である。
【図１１】篭収容枠に対してふとん篭を出し入れするときの状態を示す断面図である。
【図１２】篭収容枠にふとん篭を収容したあと蓋枠を閉鎖した状態の断面図である。
【図１３】図１２の要部拡大図である。
【図１４】本発明の変形例を示す、図６と同様位置での要部拡大断面図である。
【図１５】ふとん篭の斜視図である。
【発明を実施するための形態】
【００１７】
図１−図１３は本発明に係るふとん篭用防護装置の一実施形態を示すもので、この防護装置は、ふとん篭４０（図１５参照）を収容するための上面が開放する矩形の箱形をした篭収容枠１と、石材投入用の矩形の開口３を有する矩形の蓋枠２とを有し、該蓋枠２は、前記篭収容枠１に、開閉自在に連結されている。
【００１８】
前記ふとん篭４０は、図１５に示すように、底網４１と、該底網４１の前後に配置された前側網４２ａ及び後前側網４２ｂと、前記底網４１の左右に配置された左側網４３ａ及び右側網４３ｂと、蓋網４４とを、相互に連結することにより形成されたもので、前後の側網４２ａ，４２ｂの長さが左右の側網４３ａ，４３ｂの長さより長い直方体状をしている。
【００１９】
前記底網４１と、前側網４２ａ及び後前側網４２ｂと、左側網４３ａ及び右側網４３ｂとは、各々を個別に形成して相互に連結しても良いが、底網４１と前側網４２ａ及び後前側網４２ｂとにおける列線４５の向きが、図示したように互いに同じ横向きである場合には、それらを一つの菱形金網によって一体に形成し、前記左側網４３ａと右側網４３ｂとを別体に形成することもできる。
【００２０】
また、隣接する側網同士の連結は、各側網の外周を取り囲む針金製の枠線４６の互いに対応する辺同士を、コイル状をした連結金具４７を巻き付けて結束することにより行われている。図中の符号４８は、各側網の中間位置に設けた補強線である。
なお、前記菱形金網は、針金を扁平螺旋状に折曲して形成した前記列線４５の折曲部４５ａを、順次係止させることにより形成されたものである。
【００２１】
前記篭収容枠１は、図１−図４から明らかなように、底壁６と、該底壁６の前後に配置された前側壁７ａ及び後側壁７ｂと、前記底壁６の左右に配置された左側壁８ａ及び右側壁８ｂとにより、前後の側壁７ａ，７ｂの長さが左右の側壁８ａ，８ｂの長さより長い長方形の箱形に形成されたもので、前記ふとん篭４０を、図１１に示すように、僅かな余裕を持って出し入れ可能な状態で収容することができる大きさに形成されている。
また、前記篭収容枠１の深さは、図１２に示すように、収容したふとん篭４０の上端の一部が該篭収容枠１から上方に突出し、該ふとん篭４０の上端の枠線４６が後述する枠線キーパー１０と向き合う位置を占めるような深さである。
【００２２】
前記前側壁７ａ及び後側壁７ｂと左側壁８ａ及び右側壁８ｂとは、鉄鋼製の板材により形成され、前記底壁６は、鉄鋼製の複数の細板材６ａを、相互間に小径の石材片が抜け落ちる程度の隙間をおいて平行に配設することにより形成されている。
前記底壁６の上面と、前後及び左右の側壁７ａ，７ｂ，８ａ，８ｂの内面には、合成ゴム製あるいは合成樹脂製の緩衝材１１を取り付けることができるが、図３以外の図では、この緩衝材の図示は省略されている。
【００２３】
前記前後の側壁７ａ，７ｂ及び左右の側壁８ａ，８ｂの上端部には、篭収容枠１の外側に向けて水平に延出するフランジ部１２がそれぞれ形成され、該フランジ部１２の上に複数のキーパー取付台１３が配設されている。このキーパー取付台１３は、前記ふとん篭４０の側網４２ａ，４２ｂ，４３ａ，４３ｂの上端の枠線４６を支える前記枠線キーパー１０を取り付けるためのもので、図５−図７に左側壁８ａ上のキーパー取付台１３ついて代表的に示すように、細長い板状をなしていて、先端部を前記篭収容枠１の内側に向けると共に、基端部を該篭収容枠１の外側に向けた姿勢で、各フランジ部１２上に複数のキーパー取付台１３が、相互間に所定の間隔を保って水平且つ相互に平行をなすように配設されている。
【００２４】
各々の前記フランジ部１２の外側端には、該フランジ部１２と平行に延びる水平な台取付軸１４が、該フランジ部１２に固定された軸受１５に支持されることによってそれぞれ回転自在に取り付けられ、該台取付軸１４に、前記キーパー取付台１３の基端部が、Ｕボルト１６ａとナット１６ｂとによってそれぞれ固定されている。そして、各フランジ部１２において、一部の前記キーパー取付台１３を手に持って前記台取付軸１４を中心に回動させると、そのフランジ部１２上の全てのキーパー取付台１３が、図６に実線で示すように該フランジ部１２上に載置された位置（使用位置）から、図７に鎖線で示すように該フランジ部１２から離れて前記篭収容枠１の外方に離間する位置（非使用位置）に、一斉に変位するように構成されている。
この場合、前記台取付軸１４の端部にハンドルを取り付け、このハンドルで台取付軸１４を回転させることによって前記キーパー取付台１３を使用位置と非使用位置とに変位せせるようにしても良い。
【００２５】
前記キーパー取付台１３の使用位置は、前記枠線キーパー１０を、前記篭収容枠１内に収容されたふとん篭４０に近接させて、該枠線キーパー１０に前記枠線４６を支持させたり解放させたりする位置であり、また、前記非使用位置は、前記篭収容枠１に対してふとん篭４０の出し入れするために、前記枠線キーパー１０を該ふとん篭４０から遠ざける位置である。
【００２６】
前記キーパー取付台１３の先端部には、上方に向けて垂直に立ち上がった折曲部１３ａが形成され、この折曲部１３ａに板状のキーパー取付部１３ｂが溶接等の手段で一体に固定され、このキーパー取付部１３ｂに前記枠線キーパー１０が、ボルトからなるキーパー支持軸１７によって揺動自在に支持されている。
【００２７】
前記枠線キーパー１０は、先端部に前記枠線４６を下から支える凹状の支持部１０ａを有すると共に、後端部に前記蓋枠２で押し下げられる梃子部１０ｂを有していて、前記支持部１０ａを篭収容枠１の内側に向けると共に、前記梃子部１０ｂを篭収容枠１の外側に向けた姿勢で、前記支持部１０ａと梃子部１０ｂとの間の中間部分が、前記折曲部１３ａとキーパー取付部１３ｂとの間に形成されたキーパー取付溝１３ｃ内に嵌合し、ボルトからなる前記キーパー支持軸１７によって上下方向に揺動自在なるように支持されている。そして、図６に実線で示すように、前記支持部１０ａが枠線４６から下方に離れる待避位置と、図６に鎖線で示すように、前記支持部１０ａで枠線４６を下から支持する支持位置とに、変位自在である。
【００２８】
また、前記枠線キーパー１０は、前記キーパー支持軸１７による支持位置より前記支持部１０ａ側に寄った位置に重心を有していて、前記蓋枠２が前記開放位置にあるときは、前記重心による重みで前記支持部１０ａが下降することにより前記待避位置を占め、前記蓋枠２が前記閉鎖位置に移動すると、図１３に示すように、前記梃子部１０ｂが該蓋枠２に押されることによって前記支持部１０ａが持ち上がり、前記支持位置に変位するようになっている。
【００２９】
図４から明らかなように、前記篭収容枠１の前側壁７ａ、後側壁７ｂ、左側壁８ａ、右側壁８ｂの各々において、一部のキーパー取付台１３には、前記ふとん篭４０を前記篭収容枠１内に収容した際に、各側網４２ａ，４２ｂ，４３ａ，４３ｂ及び枠線４６が該篭収容枠１の内側に向けて撓むのを防止するための枠線フック２０が取り付けられている。
【００３０】
前記枠線フック２０は、図８−図１０から明らかなように、針金により形成されたもので、前記篭収容枠１の内側を向く先端部に、下方に向けて鉤形に折れ曲がった係止部２０ａを有し、基端部に形成された取付環２０ｂが、前記キーパー取付部１３ｂに前記キーパー支持軸１７で固定されたフック取付板２１に、ボルトからなるフック取付軸２２で上下方向に回動可能に支持されている。そして、前記係止部２０ａが枠線４６に上から係止する係止位置（図９の実線位置）と、前記係止部２０ａが枠線４６を解放する解放位置（図９の鎖線位置）とに変位自在となっている。
【００３１】
前記枠線フック２０を設ける位置として、長径の前側壁７ａ及び後側壁７ｂでは、両端部近くと中間部との３箇あるいは４箇所程度が適しており、短径の左側壁８ａ及び右側壁８ｂでは、両端部近くと中間部との３箇所程度が適している。しかし、ふとん篭４０及び篭収容枠１の大きさに応じてその設置数を適宜増減することができる。
【００３２】
前記蓋枠２は、図３及び図４から明らかなように、前枠壁２３ａ及び後枠壁２３ｂと、左枠壁２４ａ及び右枠壁２４ｂとによって矩形に形成され、各々の枠壁２３ａ，２３ｂ，２４ａ，２４ｂは、垂直方向に延びる側壁板２５と、該側壁板２５の上端から蓋枠２の内側に向けて延出する断面Ｌ字状の覆い部２６と、前記側壁板２５の下端から蓋枠２の外側に向けて水平に延出するフランジ状の押圧部２７とを有し、前記覆い部２６の先端の折曲部２６ａは、蓋枠２の下方に向けて前記側壁板２５と平行に延びている。そして、長径の後枠壁２３ｂが、前記篭収容枠１の長径の後側壁７ｂに、水平な蓋枠連結軸２８で回動自在に連結されることにより、前記篭収容枠１の各側壁７ａ，７ｂ，８ａ，８ｂの上端部を覆う閉鎖位置（図１２参照）と、該側壁７ａ，７ｂ，８ａ，８ｂの上端部から離れる開放位置（図３参照）とに、変位可能とされている。
【００３３】
また、該蓋枠２の前側壁板２５の上面中央位置には、フック掛け２９が取り付けられ、該フック掛け２９に、ワイヤロープやチェーン等の吊り線条の先端のフックを掛け、該吊り線条をパワーショベル等の重機で上げ下げすることにより、前記蓋枠２を開閉操作することができるように構成されている。
【００３４】
そして、前記蓋枠２を前記閉鎖位置に移動させると、図１２及び図１３に示すように、前記押圧部２７が、前記枠線キーパー１０の梃子部１０ｂを押し下げることによって該枠線キーパー１０を前記支持位置に変位させ、そのあと、前記フランジ部１２上のキーパー取付台１３に当接する位置に移動してその位置に停止する。このとき、前記枠線キーパー１０の梃子部１０ｂは、前記枠壁２３ａ，２３ｂ，２４ａ，２４ｂの側壁板２５の内側面に当接して押し下げられた状態に保持されるため、該枠線キーパー１０も前記支持位置を維持する。一方、前記覆い部２６は、前記枠線キーパー１０及び枠線フック２０と、前記ふとん篭４０の各側網４２ａ，４２ｂ，４３ａ，４３ｂの上端部とを覆って石材との衝突から防護する。
従って、前記蓋枠２が閉鎖位置にあるとき、該蓋枠２の前後及び左右の枠壁２３ａ，２３ｂ，２４ａ，２４ｂの側壁板２５は、前記キーパー取付台１３のキーパー取付部１３ｂの外側を取り囲むような位置を占めることになる。
【００３５】
前記構成を有する防護装置を使用してふとん篭４０に石材を充填する作業は、次のようにして行われる。
先ず、図１及び図３に示すように前記蓋枠２を開放位置に移動させたあと、図１１に示すように、前記篭収容枠１における各側壁７ａ，７ｂ，８ａ，８ｂの上端部のキーパー取付台１３を非使用位置に回動させ、その状態で前記篭収容枠１の内部に、蓋網４４が取り付けられていない空のふとん篭４０を収容する。
【００３６】
次に、前記キーパー取付台１３を、前記フランジ部１２上に載置される使用位置に復帰させたあと、前記枠線フック２０を、図９に実線で示すように係止位置に回動させ、先端の係止部２０ａをふとん篭４０の側網４２ａ，４２ｂ，４３ａ，４３ｂの上端の枠線４６に係止させることにより、該枠線４６及び側網４２ａ，４２ｂ，４３ａ，４３ｂが篭収容枠１の内側に向けて撓むのを防止する。
【００３７】
続いて、前記蓋枠２を図１２の閉鎖位置に回動させると、図１３にも示すように、前記押圧部２７で枠線キーパー１０の梃子部１０ｂが押し下げられることによって該枠線キーパー１０が支持位置に変位し、先端の支持部１０ａが前記枠線４６を下から支持した状態になる。同時に、前記覆い部２６により、前記篭収容枠１における各側壁７ａ，７ｂ，８ａ，８ｂの上端部の前記枠線キーパー１０及び枠線フック２０と、前記ふとん篭４０における各側網４２ａ，４２ｂ，４３ａ，４３ｂの上端部とが覆われる。
【００３８】
この状態で、パワーショベル等の重機により、石材を前記蓋枠２の開口３から前記ふとん篭４０の内部に投入して充填する。このとき、前記覆い部２６により、投入した石材が前記枠線キーパー１０や枠線フック２０及びふとん篭４０の各側網４２ａ，４２ｂ，４３ａ，４３ｂの上端部に衝突するのが防止されるため、該枠線キーパー１０や枠線フック２０及びふとん篭４０等が損傷されない。
また、投入された石材の重量が列線４５に作用することによって前記側網４２ａ，４２ｂ，４３ａ，４３ｂに下向きの力が作用しても、各側網の上端の枠線４６が前記枠線キーパー１０によって支持されるため、該側網４２ａ，４２ｂ，４３ａ，４３ｂが座屈することはない。
【００３９】
なお、前記枠線キーパー１０を配置する位置は、該枠線キーパー１０による支持で前記枠線４６が変形しにくい位置、即ち、該枠線４６と列線４５とが互いに係止している位置であることが望ましい。そのような位置に枠線キーパー１０が配置されていないときは、前記ナット１６ｂを緩めて前記キーパー取付台１３を台取付軸１４に沿って移動させることにより、前記枠線キーパー１０の位置を、前記枠線４６と列線４５とが係止している位置に合わせて調整することができる。
【００４０】
石材の充填が完了すると、前記蓋枠２を図１の開放位置に移動させる。そうすると、前記枠線キーパー１０の梃子部１０ｂが該蓋枠２による押圧状態から解放されるため、該枠線キーパー１０は、図６に実線で示すように、先端の支持部１０ａが下降する前記待避位置に変位する。そこで、前記枠線フック２０を枠線４６から外れる解放位置（図９の鎖線位置）に変位させると共に、前記キーパー取付台１３を、図１１に示すように非使用位置に回動させる。このとき、前記枠線フック２０の先端の係止部２０ａを、９０度より大きく且つ滑らかな角度に折曲しておくことにより、該枠線フック２０を予め解放位置に変位させなくても、前記キーパー取付台１３を非使用位置に回動させる過程で、該枠線フック２０が前記枠線４６から自動的に外れるようにすることもできる。
次に、前記ふとん篭４０の上面に蓋網４４を取り付けたあと、該ふとん篭４０を、不図示の吊り上げ装置を用いて吊り上げることにより前記篭収容枠１から取り出し、保管場所やトラック等の車両の荷台等に移送する。
【００４１】
なお、図示した実施形態では、前記篭収容枠１の側壁７ａ，７ｂ，８ａ，８ｂの上端部のフランジ部１２上に配設された複数のキーパー取付台１３が、台取付軸１４の回転により、該台取付軸１４を中心にして使用位置と非使用位置とに一斉に回動するように構成されているが、図１４に示すように、前記台取付軸１４を、前記フランジ部１２に接近及び離間する方向に水平移動させることにより、前記キーパー取付台１３を前記フランジ部１２上で水平移動させ、それによって該キーパー取付台１３を、使用位置と非使用位置とに変位させるように構成することもできる。この場合、例えば、前記台取付軸１４を支持する軸受１５を、該台取付軸１４の変位方向に伸縮自在に構成すればよい。あるいは、前記台取付軸１４の代わりに、他の適宜連結部材によって前記複数のキーパー取付台１３を相互に連結し、該連結部材を水平移動させることによって前記キーパー取付台１３を一斉に水平移動させるように構成することもできる。
【００４２】
また、前記枠線キーパー１０は、前記支持部１０ａ側に重心を持たせることにより、前記蓋枠２の開放時に、前記重心による重みで前記支持部１０ａが下降することにより前記待避位置を占めるように構成されているが、適宜のばねで待避位置に向けて付勢することにより該待避位置に変位するように構成しても良い。
【００４３】
更に、図示した実施形態では、前記篭収容枠１の前後の側壁７ａ，７ｂと左右の側壁８ａ，８ｂとが相互に固定的に連結されているが、例えば、左右の側壁８ａ，８ｂを前後の側壁７ａ，７ｂに沿って位置調整可能とするか、あるいは、前後の側壁７ａ，７ｂを左右の側壁８ａ，８ｂに沿って位置調整可能とすることにより、寸法の異なる複数種類のふとん篭に対応することができる。
【符号の説明】
【００４４】
１      篭収容枠
２      蓋枠
３      開口
６      底壁
７ａ      前側壁
７ｂ      後側壁
８ａ      左側壁
８ｂ      右側壁
１０      枠線キーパー
１０ａ      支持部
１０ｂ      梃子部
１３      キーパー取付台
１７      キーパー支持軸
２０      枠線フック
２３ａ      前枠壁
２３ｂ      後枠壁
２４ａ      左枠壁
２４ｂ      右枠壁
４０      ふとん篭
４１      底網
４２ａ      前側網
４２ｂ      後側網
４３ａ      左側網
４３ｂ      右側網
４６      枠線
【図１】
2016079732.tif 000003
【図２】
2016079732.tif 000004
【図３】
2016079732.tif 000005
【図４】
2016079732.tif 000006
【図５】
2016079732.tif 000007
【図６】
2016079732.tif 000008
【図７】
2016079732.tif 000009
【図８】
2016079732.tif 000010
【図９】
2016079732.tif 000011
【図１０】
2016079732.tif 000012
【図１１】
2016079732.tif 000013
【図１２】
2016079732.tif 000014
【図１３】
2016079732.tif 000015
【図１４】
2016079732.tif 000016
【図１５】
2016079732.tif 000017